(57)【要約】【課題】シリーズ番組の録画の予約を一括で通常予約に変更することができる予約装置等を提供することにある。【解決手段】夫々が所定の周期で放送される複数の一連の番組夫々における録画を予約する予約装置１０において、前記複数の一連の番組を特定するための番組表を取得する取得部と、該取得部で取得した番組表に基づいて前記複数の一連の番組における録画を予約する録画予約部と、前記録画予約部で予約した複数の一連の番組のいずれかの選択を受け付ける受付部と、該受付部で受け付けた一連の番組を他の一連の番組より優先して録画するよう指示する信号を出力する出力部とを備える予約装置１０。【選択図】図２
2016131337.tif 000002
【特許請求の範囲】
【請求項１】
夫々が所定の周期で放送される複数の一連の番組夫々における録画を予約する予約装置において、
前記複数の一連の番組を特定するための番組表を取得する取得部と、
該取得部で取得した番組表に基づいて前記複数の一連の番組における録画を予約する録画予約部と、
前記録画予約部で予約した複数の一連の番組のいずれかの選択を受け付ける受付部と、
該受付部で受け付けた一連の番組を他の一連の番組より優先して録画するよう指示する信号を出力する出力部と
を備える予約装置。
【請求項２】
前記複数の一連の番組の名称を表示させる番組表示部を備え、
前記受付部は、該番組表示部で表示させた複数の一連の番組夫々における名称の選択を受け付けることで前記複数の一連の番組のいずれかの選択を受け付けるようにしてあることを特徴とする
請求項１に記載の予約装置。
【請求項３】
複数の一連の番組内の番組を放送する放送時間帯が重なっているか否かを判定する判定部と、
該判定部で前記複数の一連の番組内の番組を放送する放送時間帯が重なっていると判定した場合、前記複数の一連の番組のいずれかの選択を受け付ける選択受付部とを備え、
前記出力部は、該選択受付部で受け付けた一連の番組を他の一連の番組より優先して録画するよう指示する信号を出力するようにしてあることを特徴とする
請求項１又は請求項２に記載の予約装置。
【請求項４】
前記請求項１から請求項３のいずれか１つに記載の予約装置と、
前記複数の一連の番組夫々を録画する録画部と、
該録画部で録画された一連の番組の内、いずれかの番組を再生させる再生部とを備え、
前記録画部は、前記一連の番組の内、該再生部で再生させた番組が所定の数以上であった場合、前記一連の番組を他の一連の番組より優先して録画するようにしてあることを特徴とする
録画装置。
【請求項５】
夫々が所定の周期で放送される複数の一連の番組夫々における録画を予約する予約装置に用いられるプログラムにおいて、
該予約装置に、
番組表に基づいて前記複数の一連の番組における録画を予約し、
受け付けた一連の番組を他の一連の番組より優先して録画するよう指示する録画信号を出力する
処理を実行させるプログラム。
【請求項６】
夫々が所定の周期で放送される複数の一連の番組夫々における録画を予約する予約装置における予約方法において、
前記複数の一連の番組を特定するための番組表を取得し、
取得した番組表に基づいて前記複数の一連の番組における録画を予約し、
前記録画予約部で予約した複数の一連の番組のいずれかの選択を受け付け、
受け付けた一連の番組を他の一連の番組より優先して録画するよう指示する録画信号を出力する
処理を実行させる予約方法。
【発明の詳細な説明】
【技術分野】
【０００１】
本発明は、放送された番組を予約する予約装置等に関する。
【背景技術】
【０００２】
従来、記憶部の残量に基づいて削除し、ユーザが入力した条件により抽出した番組を自動で録画する自動録画の予約を記憶部の残量に基づいて削除しない通常の予約に変更することで番組の削除を防止する技術が知られている（例えば特許文献１）。
【先行技術文献】
【特許文献】
【０００３】
【特許文献１】特開２０１４−１５５０３７号公報
【発明の概要】
【発明が解決しようとする課題】
【０００４】
しかし、特許文献１に開示された技術では、所定の周期で放送される一連の番組（シリーズ番組）の録画の予約を通常予約に変更する場合、シリーズ番組の録画の予約を一括で通常予約に変更することが難しいという問題がある。
【０００５】
一つの側面では、シリーズ番組の録画の予約を一括で通常予約に変更することができる予約装置等を提供することにある。
【課題を解決するための手段】
【０００６】
一態様の予約装置は、夫々が所定の周期で放送される複数の一連の番組夫々における録画を予約する予約装置において、前記複数の一連の番組を特定するための番組表を取得する取得部と、該取得部で取得した番組表に基づいて前記複数の一連の番組における録画を予約する録画予約部と、前記録画予約部で予約した複数の一連の番組のいずれかの選択を受け付ける受付部と、該受付部で受け付けた一連の番組を他の一連の番組より優先して録画するよう指示する信号を出力する出力部とを備える。
【０００７】
一態様の予約装置は、前記複数の一連の番組の名称を表示させる番組表示部を備え、前記受付部は、該番組表示部で表示させた複数の一連の番組夫々における名称の選択を受け付けることで前記複数の一連の番組のいずれかの選択を受け付けるようにしてあることを特徴とする。
【０００８】
一態様の予約装置は、複数の一連の番組内の番組を放送する放送時間帯が重なっているか否かを判定する判定部と、該判定部で前記複数の一連の番組内の番組を放送する放送時間帯が重なっていると判定した場合、前記複数の一連の番組のいずれかの選択を受け付ける選択受付部とを備え、前記出力部は、該選択受付部で受け付けた一連の番組を他の一連の番組より優先して録画するよう指示する信号を出力するようにしてあることを特徴とする。
【０００９】
一態様の録画装置は、予約装置と、前記複数の一連の番組夫々を録画する録画部と、該録画部で録画された一連の番組の内、いずれかの番組を再生させる再生部とを備え、前記録画部は、前記一連の番組の内、該再生部で再生させた番組が所定の数以上であった場合、前記一連の番組を他の一連の番組より優先して録画するようにしてあることを特徴とする。
【００１０】
一態様のプログラムは、夫々が所定の周期で放送される複数の一連の番組夫々における録画を予約する予約装置に用いられるプログラムにおいて、該予約装置に、番組表に基づいて前記複数の一連の番組における録画を予約し、受け付けた一連の番組を他の一連の番組より優先して録画するよう指示する録画信号を出力する処理を実行させる。
【００１１】
一態様の予約方法は、夫々が所定の周期で放送される複数の一連の番組夫々における録画を予約する予約装置における予約方法において、前記複数の一連の番組を特定するための番組表を取得し、取得した番組表に基づいて前記複数の一連の番組における録画を予約し、前記録画予約部で予約した複数の一連の番組のいずれかの選択を受け付け、受け付けた一連の番組を他の一連の番組より優先して録画するよう指示する録画信号を出力する処理を実行させる。
【発明の効果】
【００１２】
一態様によれば、シリーズ番組の録画の予約を一括で通常予約に変更することができる。
【図面の簡単な説明】
【００１３】
【図１】本実施形態に係る情報処理システムを説明する説明図である。
【図２】録画装置のハードウェア群を示すブロック図である。
【図３】シリーズ番組情報ＤＢに格納されているデータの一例を示す図である。
【図４】設定情報ＤＢに格納されているデータの一例を示す図である。
【図５】番組情報ＤＢに格納されているデータの一例を示す図である。
【図６】シリーズ番組を選択するための選択画面の一例を示す図である。
【図７】シリーズ番組を録画する設定を示す設定画面の一例を示す図である。
【図８】シリーズ番組内に含まれる各番組を選択する番組選択画面の一例を示す図である。
【図９】シリーズ番組を特定するための番組表の一例を示す図である。
【図１０】本実施形態における情報処理システムの処理手順を示したフローチャートである。
【図１１】本実施形態における情報処理システムの処理手順を示したフローチャートである。
【図１２】シリーズ番組情報ＤＢに格納されているデータの一例を示す図である。
【図１３】選択画面の一例を示す図である。
【図１４】本実施形態における情報処理システムの処理手順を示したフローチャートである。
【図１５】本実施形態における情報処理システムの処理手順を示したフローチャートである。
【図１６】番組情報ＤＢに格納されているデータの一例を示す図である。
【図１７】本実施形態における情報処理システムの処理手順を示したフローチャートである。
【図１８】シリーズ番組を一括で消去するための一括消去欄を表示した選択画面の一例を示す図である。
【図１９】本実施形態における情報処理システムの処理手順を示したフローチャートである。
【図２０】シリーズ番組内の全ての番組を複製するための一括複製欄を表示した選択画面の一例を示す図である。
【図２１】本実施形態における情報処理システムの処理手順を示したフローチャートである。
【図２２】録画装置のハードウェア群を示すブロック図である。
【図２３】予約情報ＤＢに格納されているデータの一例を示す図である。
【図２４】録画設定の選択を受け付けるための録画設定画面の一例を示す図である。
【図２５】選択画面の一例を示す図である。
【図２６】シリーズ番組の録画の予約を行うための予約画面は中央部に設けられた予約設定画面を備える。
【図２７】通常予約の詳細な設定を行うための詳細設定画面の一例を示す図である。
【図２８】録画を予約した結果を示す予約結果画面の一例を示す図である。
【図２９】本実施形態における情報処理システムの処理手順を示したフローチャートである。
【図３０】本実施形態における情報処理システムの処理手順を示したフローチャートである。
【図３１】本実施形態における情報処理システムの処理手順を示したフローチャートである。
【図３２】本実施形態における情報処理システムの処理手順を示したフローチャートである。
【図３３】自動予約を行うための自動予約画面の一例を示す図である。
【図３４】設定条件を設定するための設定画面の一例を示す図である。
【図３５】本実施形態における情報処理システムの処理手順を示したフローチャートである。
【図３６】本実施形態における情報処理システムの処理手順を示したフローチャートである。
【発明を実施するための形態】
【００１４】
実施の形態１
以下本実施の形態を、図面を参照して説明する。図１は本実施形態に係る情報処理システムを説明する説明図である。本実施の形態に係る録画装置１は、テレビジョン放送により放送された番組を録画する録画装置である。録画装置１は、テレビジョン受信機又はプロジェクタ等の表示装置２に接続されている。送信機３は各種の操作ボタンによりユーザからの指示を受け付け、受け付けた指示に基づいて録画装置１を操作する操作信号を録画装置１へ送信する。録画装置１は送信機３から送信された操作信号に基づいて番組の録画を予約する。録画装置１は予約に基づいて番組を録画し、録画した番組を表示装置２に表示させる。
【００１５】
図２は録画装置１のハードウェア群を示すブロック図である。図２に示す録画装置１は予約装置１０、光ディスクドライブ１８０及びＨＤＤ（Hard Disc Drive）１８１を備える。予約装置１０はＣＰＵ(Central Processing Unit)１１、記憶部１２、ＲＡＭ１３、受信部１４、インターフェイス１５、チューナ１６、計時部（時計部）１７及びＩＦ部１８を備える。
【００１６】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１７】
記憶部１２は例えばハードディスクまたは大容量メモリ等である。記憶部１２にはＣＰＵ１１が処理を行う際に必要とする種々のデータ、シリーズ番組情報ＤＢ１２１、設定情報ＤＢ１２２、番組情報ＤＢ１２３及びプログラム１２Ｐを格納する。
【００１８】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００１９】
受信部１４は送信機３からの信号を受信する。受信部１４は、使用者によって操作された送信機３から信号を受信し、ＣＰＵ１１は、受信部１４が受信した信号に応じた処理を実行する。ＩＦ部１８はインターフェイスであり、光ディスクドライブ１８０及びＨＤＤ１８１に接続され、光ディスクドライブ１８０及びＨＤＤ１８１との間で信号の送受信を行う。
【００２０】
チューナ１６は図示しないアンテナに接続され、アンテナを通じて、テレビジョン放送による放送信号を受信する。ＣＰＵ１１は受信した放送信号をチューナ１６から取得し、取得した放送信号をデコードすることにより映像信号を生成する。ＣＰＵ１１は生成した映像信号をエンコードして動画（番組）に変換する。ＣＰＵ１１は変換した番組をＨＤＤ１８１又はＤＶＤドライブもしくはブルーレイディスクドライブ等の光ディスクドライブ１８０に記憶する。なお、ＣＰＵ１１は放送信号をデコードせず、直接番組をＨＤＤ１８１又は光ディスクドライブ１８０に記憶してもよい。また、録画装置１は光ディスクドライブ１８０を備えたが、その他の記憶デバイスを備えた形態であってもよい。またチューナ１６は放送信号を介して提供される番組表５１を受信する。番組表５１には番組に関する情報を示す番組情報が記憶されている。
【００２１】
インターフェイス１５は、例えばＨＤＭＩ（High-Definition Multimedia Interface：登録商標）又はＣＥＣ（Consumer Electronics Control）の規格に従った制御データを表示装置２との間で送受信する。計時部１７は、例えば現在の時点における時刻を計時し、ＣＰＵ１１の要求に従って、計時結果をＣＰＵ１１に出力する。
【００２２】
図３はシリーズ番組情報ＤＢ１２１に格納されているデータの一例を示す図である。シリーズ番組情報ＤＢ１２１はシリーズ番組に関するシリーズ番組情報を記憶するデータベースである。シリーズ番組とは放送局から所定の周期で放送される一連の番組である。所定の周期とは例えば１日、１週間の内月曜日から木曜日、１週間の内月曜日から金曜日又は１週間等である。シリーズ番組情報とは例えば、シリーズ番組の名称、シリーズ番組が放送される放送曜日、シリーズ番組が放送される放送時間、シリーズ番組が放送される放送局、シリーズ番組に出演する出演者、シリーズ番組を録画した回数、シリーズ番組の種類等である。
【００２３】
シリーズ番組情報ＤＢ１２１はシリーズ番組列、曜日列、放送時間列、放送局列、出演者列、録画数列及び種類列等を備える。シリーズ番組列にはシリーズ番組の名称が記憶される。曜日列には放送曜日が記憶される。放送時間列にはシリーズ番組が放送される放送時間が記憶される。放送局列にはシリーズ番組が放送される放送局が記憶される。出演者列にはシリーズ番組に出演する出演者が記憶される。録画数列にはシリーズ番組を録画した回数が記憶される。種類列にはシリーズ番組の種類が記憶される。種類列には例えば、ドラマ又はアニメ等が記憶される。なお、シリーズ番組の種類はドラマ又はアニメに限られず、バラエティ、ドキュメンタリー又は映画等でもよい。ＣＰＵ１１は読み込んだ設定情報に基づいて、番組表５１をチューナ１６から取得する。ＣＰＵ１１は番組表５１に基づいてシリーズ番組列、曜日列、放送時間列、放送局列、出演者列及び種類列が記憶される。ＣＰＵ１１は後述する番組情報ＤＢ１２３からシリーズ番組内の録画数を計数し、計数した録画数を録画列に記憶する。
【００２４】
図４は設定情報ＤＢ１２２に格納されているデータの一例を示す図である。設定情報ＤＢ１２２はシリーズ番組の録画に関する設定を示す設定情報を記憶するデータベースである。設定情報ＤＢ１２２は許否列、放送時間列、放送局列及び種類列等を備える。許否列にはシリーズ番組を録画するか否かを示す許否情報が記憶される。許否列には例えば許可又は禁止が記憶される。許可とはシリーズ番組の録画を許可することを示す。禁止とはシリーズ番組の録画を禁止することを示す。放送時間列にはシリーズ番組を録画する時間帯が記憶される。放送局列にはシリーズ番組を録画する放送局が記憶される。放送局列には例えば「すべての地上デジタル放送のチャンネル」が記憶される。「すべての地上デジタル放送のチャンネル」とは地上デジタル放送を放送する放送局を示す。種類列には録画するシリーズ番組の種類が記憶される。ＣＰＵ１１は後述する設定画面３１で選択を受け付けた設定情報を設定情報ＤＢ１２２に記憶する。
【００２５】
図５は番組情報ＤＢ１２３に格納されているデータの一例を示す図である。番組情報ＤＢ１２３はシリーズ番組に含まれる複数の番組に関する情報を記憶するデータベースである。番組情報ＤＢ１２３はシリーズ番組列、サブタイトル列及び番組列等を備える。シリーズ番組列にはシリーズ番組の名称が記憶される。サブタイトル列にはシリーズ番組内の各番組の名称が記憶される。番組列にはシリーズ番組内の各番組が記憶される。ＣＰＵ１１は番組表５１に基づいてシリーズ番組及びサブタイトルが記憶される。ＣＰＵ１１は計時部１７で計時された現在の時刻が予約したシリーズ番組内の番組を放送する放送時間帯であると判定した場合、予約したシリーズ番組を録画する。ＣＰＵ１１は録画した番組を番組列に記憶する。
【００２６】
図６はシリーズ番組を選択するための選択画面２１の一例を示す図である。選択画面２１はシリーズ番組欄２１Ａ、２１Ｂ及び２１Ｃ等により構成されるシリーズ番組欄２１０を備える。シリーズ番組欄２１０は上部に設けられた番組名欄２１２と、番組名欄２１２の下部に設けられた番組内容欄２１３と、番組内容欄２１３の右部に設けられた録画数欄２１４とを備える。シリーズ番組欄２１０はシリーズ番組を選択するための欄である。番組名欄２１２はシリーズ番組の名称を表示するための欄である。番組内容欄２１３は番組の内容を表示するための欄である。録画数欄２１４はシリーズ番組を録画した回数を表示するための欄である。
【００２７】
選択画面２１の具体的な作用及び動作は以下の通りである。ＣＰＵ１１は選択画面２１の表示を受け付ける。ユーザが送信機３で選択画面２１を表示する操作信号を送信する。ＣＰＵ１１は操作信号を受信し、シリーズ番組情報ＤＢ１２１を参照し、表示装置２に選択画面２１を表示させる。すなわちＣＰＵ１１はシリーズ番組欄２１Ａの番組名欄２１２に「タイトルＡ」を表示させる。ＣＰＵ１１はシリーズ番組欄２１Ａの番組内容欄２１３に「月曜  午後１：００〜  放送局Ａ  出演者Ａ」を表示させる。ＣＰＵ１１はシリーズ番組欄２１Ａの録画数欄２１４に「８」を表示させる。
【００２８】
ＣＰＵ１１はシリーズ番組欄２１Ｂの番組名欄２１２に「タイトルＢ」を表示させる。ＣＰＵ１１はシリーズ番組欄２１Ｂの番組内容欄２１３に「月曜  午後２：００〜  放送局Ｂ  出演者Ｂ」を表示させる。ＣＰＵ１１はシリーズ番組欄２１Ｂの録画数欄２１４に「０」を表示させる。以下、同様であり、簡潔のため記載を省略する。
【００２９】
図７はシリーズ番組を録画する設定を示す設定画面３１の一例を示す図である。設定画面３１は上部に設けられた録画ボタン３２Ａ及び３２Ｂで構成される録画ボタン３２と、録画ボタン３２の下部に設けられた録画対象ボタン３３Ａ及び３３Ｂで構成される録画対象ボタン３３と、録画対象ボタン３３の下部に設けられた放送局選択欄３４と、放送局選択欄３４の下部に設けられた録画時間帯欄３５と、下部に設けられた完了ボタン３７とを備える。録画ボタン３２は録画を行うか否かを選択するためのボタンである。録画対象ボタン３３は録画するシリーズ番組の種類を選択するためのボタンである。放送局選択欄３４は録画する放送局を選択するための欄である。録画時間帯欄３５は録画する時間帯を選択するための欄である。完了ボタン３７は選択画面２１に遷移するためのボタンである。
【００３０】
設定画面３１の具体的な作用及び動作は以下の通りである。ＣＰＵ１１は設定画面３１の表示を受け付ける。ユーザが送信機３で設定画面３１の表示する操作信号を送信する。ＣＰＵ１１は操作信号を受信し、設定情報ＤＢ１２２を参照し、表示装置２に設定画面３１を表示させる。ユーザが送信機３により録画ボタン３２Ａを選択する。ＣＰＵ１１は設定情報ＤＢ１２２の許否列に許可を記憶する。
【００３１】
ユーザが送信機３により録画対象ボタン３３Ａを選択する。ＣＰＵ１１は設定情報ＤＢ１２２の種類列に「ドラマ」を記憶する。ユーザが送信機３により録画対象ボタン３３Ｂを選択する。ＣＰＵ１１は設定情報ＤＢ１２２の種類列に「アニメ」を記憶する。
【００３２】
ユーザが送信機３により放送局選択欄３４に「すべての地上デジタル放送のチャンネル」を選択する。送信機３は放送局選択欄３４に「すべての地上デジタル放送のチャンネル」を選択する操作信号を録画装置１へ送信する。録画装置１のＣＰＵ１１は送信機３から操作信号を受信する。ＣＰＵ１１は設定情報ＤＢ１２２の放送局列に「すべての地上デジタル放送のチャンネル」を記憶する。ＣＰＵ１１は放送局選択欄３４に「すべての地上デジタル放送のチャンネル」を表示させる。
【００３３】
ユーザが送信機３により録画時間帯欄３５に「午後７：００〜午前０：００」を選択する。ＣＰＵ１１は設定情報ＤＢ１２２の放送時間列に「午後７：００〜午前０：００」を記憶する。ＣＰＵ１１は録画時間帯欄３５に「午後７：００〜午前０：００」を表示させる。
【００３４】
ユーザが送信機３により完了ボタン３７を選択する。ＣＰＵ１１は選択画面２１を表示装置２に表示させる。以上の動作によりＣＰＵ１１はシリーズ番組の録画の予約を設定することができる。
【００３５】
図８はシリーズ番組内に含まれる各番組を選択する番組選択画面４１の一例を示す図である。番組選択画面４１は中央に２列設けられた番組選択欄４０Ａ及び４０Ｂ等により構成される番組選択欄４０と、下部に設けられたタイトル欄４３とを備える。番組選択欄４０はシリーズ番組内に含まれる各番組を選択するための欄である。タイトル欄４３はシリーズ番組の名称及びシリーズ番組内に含まれる各番組の名称を表示するための欄である。
【００３６】
番組選択画面４１の具体的な作用及び動作は以下の通りである。ＣＰＵ１１は番組選択画面４１の表示を受け付ける。ユーザが送信機３によりシリーズ番組欄２１Ａを選択し、番組選択画面４１を表示する操作信号を送信する。ＣＰＵ１１は番組情報ＤＢ１２３を参照し、表示装置２に番組選択画面４１を表示させる。すなわち、ＣＰＵ１１は番組選択欄４０Ａのタイトル欄４３にタイトルＡ及びサブタイトル１Ａを表示させる。ＣＰＵ１１は番組選択欄４０Ｂのタイトル欄４３にタイトルＡ及びサブタイトル１Ｂを表示させる。以下、同様であり、簡潔のため記載を省略する。ユーザは送信機３により番組選択欄４０Ａを選択する。ＣＰＵ１１は番組１Ａを表示装置２に再生させる。
【００３７】
図９はシリーズ番組を特定するための番組表５１の一例を示す図である。番組表５１は番組欄５２Ａ、５２Ｂ及び５２Ｃ等で構成される番組欄５２と、番組欄５２内に記載された特殊文字５３Ａ及び５３Ｂ等で構成される特殊文字５２３と、番組欄５２の上部に設けられた曜日欄５４Ａ及び５４Ｂ等で構成される曜日欄５４とを備える。番組欄５２は番組を表示する欄である。特殊文字５２３は所定の文字である。所定の文字とは例えば、新、終、再、第１話、第１回、最終回又は最終話等の文字である。曜日欄５４は曜日を表示するための欄である。なお、番組表５１は図９に表示された情報以外の番組情報を含んでいる。例えば番組表５１は出演者又はシリーズ番組の種類等の情報を含む。
【００３８】
情報処理システムの具体的な作用及び動作は以下の通りである。ＣＰＵ１１は選択画面２１の表示を受け付ける。ユーザが送信機３で選択画面２１を表示する操作信号を送信する。ＣＰＵ１１は操作信号を受信し、シリーズ番組情報ＤＢ１２１を参照し、選択画面２１を表示装置２に表示させる。ＣＰＵ１１は設定画面３１の表示を受け付ける。ユーザが送信機３で設定画面３１の表示する操作信号を送信する。ＣＰＵ１１は操作信号を受信し、設定情報ＤＢ１２２を参照し、表示装置２に設定画面３１を表示させる。
【００３９】
ＣＰＵ１１は設定画面３１で設定情報の選択を受け付ける。ユーザは送信機３により図７に示すように許否情報等の設定情報を選択する。ＣＰＵ１１は選択した許否情報「許可」、放送時間「午後７：００〜午前０：００」、放送局「すべての地上デジタル放送のチャンネル」及び番組の種類「ドラマ」を設定情報ＤＢ１２２に記憶する。ＣＰＵ１１は設定情報ＤＢ１２２から設定情報を読み込む。
【００４０】
ＣＰＵ１１は所定の日数の番組表５１をチューナ１６から取得し、ＲＡＭ１３上に展開している。所定の日数とは例えば８日である。ＣＰＵ１１は番組表５１に所定の第１特殊文字が含まれているか否かを判定する。所定の第１特殊文字とは例えば、四角い枠で囲まれた新である。ＣＰＵ１１は番組表５１の番組欄５２Ｂにおけるシリーズ番組の番組情報に特殊文字５３Ｂが含まれていると判定する。ＣＰＵ１１は特殊文字５３Ｂを含む番組欄５２Ｂのシリーズ番組の「タイトルＢ」、「１２月１０日」、「午後２：００〜２：５８」、「放送局Ｂ」、「出演者Ｂ」及び「ドラマ」を取得し、シリーズ番組情報ＤＢ１２１に記憶する。ＣＰＵ１１は放送局Ｂにおいて「１２月１０日  午後２：００〜２：５８」にシリーズ番組「タイトルＢ」の録画の予約を行う。
【００４１】
ＣＰＵ１１は計時部１７で計時された時刻に基づいて現在の時刻「午後２：００」が予約したシリーズ番組内の番組を放送する放送日時「１２月１０日  午後２：００〜２：５８」であると判定する。ＣＰＵ１１は予約したシリーズ番組「タイトルＢ」をＨＤＤ１８１又は光ディスクに録画する。
【００４２】
番組表５１には放送局Ｂにおいて「１２月１１日  午後２：００〜２：５８」がある。このため、ＣＰＵ１１は放送局Ａにおいて「１２月１１日  午後２：００〜２：５８」にシリーズ番組「タイトルＢ」の録画の予約を行う。ＣＰＵ１１は以上の処理を繰り返し、シリーズ番組の予約の解除を行うまでシリーズ番組「タイトルＢ」の録画の予約を行う。
【００４３】
ＣＰＵ１１は上記と同様の処理により、シリーズ番組「タイトルＡ」の録画の予約を行う。ＣＰＵ１１は計時部１７で計時された時刻に基づいて現在の日時「１２月１０日  午後１：００」が予約したシリーズ番組内の番組を放送する放送日時「１２月１０日  午後１：００〜１：５８」であると判定する。ＣＰＵ１１は予約したシリーズ番組「タイトルＡ」をＨＤＤ１８１又は光ディスクに録画する。
【００４４】
ＣＰＵ１１は番組表５１に所定の第２特殊文字が含まれているか否かを判定する。所定の第２特殊文字とは例えば、四角い枠で囲まれた終である。ＣＰＵ１１は番組表５１の番組欄５２Ｂにおけるシリーズ番組の番組情報に特殊文字５３Ａが含まれていると判定する。ＣＰＵ１１は特殊文字５３Ａを含む番組欄５２Ａの「タイトルＡ」、「１２月１０日」、「午後１：００〜１：５８」、「放送局Ａ」、「出演者Ａ」及び「ドラマ」を取得し、シリーズ番組情報ＤＢ１２１に記憶する。ＣＰＵ１１は放送局Ｂにおいて「１２月１０日  午後１：００〜１：５８」にてシリーズ番組「タイトルＡ」の予約を解除する。すなわちＣＰＵ１１はシリーズ番組の予約の繰り返しを解除する。
【００４５】
なお、シリーズ番組の録画の予約は、所定の時間を経過した場合又は録画装置１の電源（図示せず）がＯＦＦにされた場合にも実行される。所定の時間とは例えば２４時間である。
【００４６】
図１０〜１１は本実施形態における情報処理システムの処理手順を示したフローチャートである。ＣＰＵ１１は選択画面２１の表示を受け付けたか否かを判定する（ステップＳ１１）。ＣＰＵ１１は選択画面２１の表示を受け付けなかったと判定した場合（ステップＳ１１：ＮＯ）、処理をステップＳ２９に移す。ＣＰＵ１１は選択画面２１の表示を受け付けたと判定した場合（ステップＳ１１：ＹＥＳ）、シリーズ番組情報ＤＢ１２１を参照し、選択画面２１を表示装置２に表示させる（ステップＳ１２）。ＣＰＵ１１はシリーズ番組の選択を受け付ける（ステップＳ１３）。ＣＰＵ１１は設定画面３１の表示を受け付けたか否かを判定する（ステップＳ１４）。
【００４７】
ＣＰＵ１１は設定画面３１の表示を受け付けなかったと判定した場合（ステップＳ１４：ＮＯ）、番組選択画面４１の表示を受け付けたか否かを判定する（ステップＳ１５）。ＣＰＵ１１は番組選択画面４１の表示を受け付けなかったと判定した場合（ステップＳ１５：ＮＯ）、処理をステップＳ１４に移す。ＣＰＵ１１は番組選択画面４１の表示を受け付けたと判定した場合（ステップＳ１５：ＹＥＳ）、受け付けたシリーズ番組の選択に基づいて番組選択画面４１を表示装置２に表示させる（ステップＳ１６）。ＣＰＵ１１は番組の選択を受け付ける（ステップＳ１７）。ＣＰＵ１１は受け付けた番組を表示装置２に再生させ（ステップＳ１８）、処理をステップＳ１１に移す。ＣＰＵ１１は設定画面３１の表示を受け付けたと判定した場合（ステップＳ１４：ＹＥＳ）、設定情報ＤＢ１２２を参照し、設定画面３１を表示装置２に表示させる（ステップＳ１９）。ＣＰＵ１１は設定情報の選択を受け付ける（ステップＳ２０）。ＣＰＵ１１は受け付けた設定情報を設定情報ＤＢ１２２に記憶する（ステップＳ２１）。
【００４８】
ＣＰＵ１１は設定情報ＤＢ１２２から設定情報を読み込む（ステップＳ２２）。ＣＰＵ１１は番組表５１に含まれるシリーズ番組に所定の第１特殊文字が含まれているか否かを判定する（ステップＳ２３）。所定の第１特殊文字とは例えば、四角い枠で囲まれた新である。ＣＰＵ１１は番組表５１に含まれるシリーズ番組に所定の第１特殊文字が含まれていないと判定した場合（ステップＳ２３：ＮＯ）、処理をステップＳ２６に移す。ＣＰＵ１１は番組表５１に含まれるシリーズ番組に所定の第１特殊文字が含まれていると判定した場合（ステップＳ２３：ＹＥＳ）、所定の第１特殊文字を含む番組情報を取得し、シリーズ番組情報ＤＢ１２１に記憶する（ステップＳ２４）。ＣＰＵ１１は取得した番組情報に基づいてシリーズ番組の予約を開始する（ステップＳ２５）。
【００４９】
ＣＰＵ１１は番組表５１に含まれるシリーズ番組に所定の第２特殊文字が含まれているか否かを判定する（ステップＳ２６）。所定の第２特殊文字とは例えば、四角い枠で囲まれた終である。ＣＰＵ１１は番組表５１に含まれるシリーズ番組に所定の第２特殊文字が含まれていないと判定した場合（ステップＳ２６：ＮＯ）、処理をステップＳ２９に移す。ＣＰＵ１１は取得した番組表５１に含まれるシリーズ番組に所定の第２特殊文字が含まれていると判定した場合（ステップＳ２６：ＹＥＳ）、所定の第２特殊文字を含む番組情報を取得し、シリーズ番組情報ＤＢ１２１に記憶する（ステップＳ２７）。ＣＰＵ１１は取得した番組情報に基づいてシリーズ番組の予約を解除する（ステップＳ２８）。
【００５０】
ＣＰＵ１１は前回のシリーズ番組の録画の予約から所定の時間が経過したか否かを判定する（ステップＳ２９）。所定の時間とは例えば２４時間である。ＣＰＵ１１は前回のシリーズ番組の録画の予約から所定の時間が経過したと判定した場合（ステップＳ２９：ＹＥＳ）、処理をステップＳ２２に移す。ＣＰＵ１１は前回のシリーズ番組の録画の予約から所定の時間が経過しなかったと判定した場合（ステップＳ２９：ＮＯ）、計時部１７で計時された現在の時刻が予約したシリーズ番組内の番組を放送する放送時間帯であるか否かを判定する（ステップＳ３０）。すなわち、ＣＰＵ１１は計時部１７で計時された現在の日時が予約したシリーズ番組内の番組が放送される日時であるか否かを判定する。ＣＰＵ１１は計時部１７で計時された現在の時刻が予約したシリーズ番組の放送時間帯でないと判定した場合（ステップＳ３０：ＮＯ）、処理をステップＳ１１に移す。ＣＰＵ１１は計時部１７で計時された現在の時刻が予約したシリーズ番組の放送時間帯であると判定した場合（ステップＳ３０：ＹＥＳ）、予約したシリーズ番組をＨＤＤ１８１又は光ディスクに録画し（ステップＳ３１）、処理をステップＳ２２に移す。
【００５１】
また、録画装置１の電源（図示せず）がＯＦＦにされた場合、ＣＰＵ１１はステップＳ２２〜２９の処理を行った後でプログラムを終了する。
【００５２】
一態様によれば、シリーズ番組の録画の予約を適切に行うことができる。また番組終了後に余分な番組を録画しないため、ユーザが録画の予約を解除する必要がなくなる。
【００５３】
一態様によれば、選択画面２１を表示させることで容易にシリーズ番組を選択することができるため、ユーザビリティが向上する。
【００５４】
一態様によれば、シリーズ番組の内、いずれか１つの番組を選択し、再生することができるため、関連する番組を即座に再生することができる。
【００５５】
なお、本実施形態の設定情報には出演者を含んでも良い。ＣＰＵ１１は設定情報に含まれる出演者に関するシリーズ番組の録画の予約を行うようにしてもよい。またＣＰＵ１１は取得した番組表５１に所定の第３特殊文字が含まれているか否かを判定してもよい。ＣＰＵ１１は取得した番組表５１に所定の第３特殊文字が含まれていた場合、シリーズ番組の録画の予約から除外する。所定の第３特殊文字とは例えば四角い枠で囲まれた再である。
【００５６】
実施の形態２
実施の形態２はシリーズ番組における第１話放送前又は放送終了等に関する関連メッセージを表示させる実施形態である。以下本発明の実施の形態２をその実施の形態を示す図面に基づいて詳述する。図１２はシリーズ番組情報ＤＢ１２１に格納されているデータの一例を示す図である。以下、特に説明する構成、作用以外の構成及び作用は実施の形態１と同等であり、簡潔のため記載を省略する。シリーズ番組情報ＤＢ１２１はさらにメッセージ列を備える。メッセージ列には関連メッセージが記憶される。関連メッセージとは例えば、第１話放送前に関する情報又は放送終了等である。第１話放送前に関する情報とは第１話の放送日である。放送終了とはシリーズ番組の放送が終了したことを示す。
【００５７】
ＣＰＵ１１は番組情報ＤＢ１２３を参照し、一部又は全部のシリーズ番組が録画されたか否かを判定する。ＣＰＵ１１は一部又は全部のシリーズ番組が録画されなかったと判定した場合、第１メッセージをメッセージ列に記憶する。ＣＰＵ１１は第２特殊文字を含む番組情報に対応する番組が放送されたと判定した場合、第２メッセージをメッセージ列に記憶する。
【００５８】
図１３は選択画面２１の一例を示す図である。選択画面２１はさらにシリーズ番組欄２１Ａ及び２１Ｂの左上に設けられたメッセージ欄２５Ａ及び２５Ｂ等で構成されるメッセージ欄２１５を備える。メッセージ欄２１５は関連メッセージを表示するための欄である。
【００５９】
選択画面２１の具体的な作用及び動作は以下の通りである。ＣＰＵ１１は番組情報ＤＢ１２３を参照し、シリーズ番組欄２１Ａのシリーズ番組が録画されたか否かを判定する。ＣＰＵ１１はシリーズ番組欄２１Ａのシリーズ番組が録画されたと判定する。ＣＰＵ１１は取得した番組表及び計時部１７で計時された時刻に基づいて現在の時刻が第１特殊文字を含む番組情報に対応する番組の最後の放送日時「１２月１７日  午後１：００〜午後１：５８」の経過後であるか否かを判定する。ＣＰＵ１１は現在の時刻がシリーズ番組「タイトルＡ」の最後の番組の放送時間帯の経過後であると判定する。ＣＰＵ１１は第２メッセージをメッセージ欄２５Ａに表示させる。第２メッセージとは例えば「放送終了」であり、放送終了に関する情報を含む。放送終了に関する情報とは例えば、放送終了時の時間等である。ＣＰＵ１１は計時部１７で計時された時刻に基づいて現在の時刻がシリーズ番組「タイトルＢ」の最初の番組の放送日時「１２月１０日  午後２：００〜午後２：５８」の経過前であると判定する。ＣＰＵ１１は第１メッセージを左上のサムネイルに表示させる。第１メッセージとは例えば放送日時であり、具体的には「１２月１０日」である。
【００６０】
図１４は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１２の処理を終了した後、シリーズ番組情報ＤＢ１２１を参照し、取得した番組表５１及び計時部１７で計時した時刻に基づいて現在の時刻が第１特殊文字を含む番組情報に対応する番組の放送日時の経過前であるか否かを判定する（ステップＳ３２）。すなわち、ＣＰＵ１１は番組表５１及び計時部１７で計時した時刻に基づいて所定の第１特殊文字が含まれるシリーズ番組が放送される前であるか否かを判定する。ＣＰＵ１１は現在の時刻が第１特殊文字を含む番組情報に対応する番組の放送日時の経過前でないと判定した場合（ステップＳ３２：ＮＯ）、処理をＳ１３に移す。ＣＰＵ１１は現在の時刻が第１特殊文字を含む番組情報に対応する番組の放送日時の経過前であると判定した場合（ステップＳ３２：ＹＥＳ）、第１メッセージを選択画面２１に表示させる（ステップＳ３３）。
【００６１】
ＣＰＵ１１は計時部１７で計時された時刻に基づいて現在の時刻が第２特殊文字を含む番組情報に対応する番組の放送日時の経過後であるか否かを判定する（ステップＳ３４）。ＣＰＵ１１は番組表５１及び計時部１７で計時した時刻に基づいて所定の第２特殊文字が含まれるシリーズ番組が放送された後であるか否かを判定する。ＣＰＵ１１は現在の時刻が第１特殊文字を含む番組情報に対応する番組の放送日時の経過後でないと判定した場合（ステップＳ３４：ＮＯ）、処理をステップＳ１３に移す。ＣＰＵ１１は現在の時刻が第１特殊文字を含む番組情報に対応する番組の放送日時の経過後であると判定した場合（ステップＳ３４：ＹＥＳ）、第２メッセージを選択画面２１に表示させ（ステップＳ３５）、処理をステップＳ１３に移す。
【００６２】
一態様によれば、ＣＰＵ１１は選択画面２１に関連メッセージを表示させる。このことによりユーザが番組の放送終了又は録画確定等の情報を即座に把握することができるため、一覧性が増す。
【００６３】
実施の形態３
実施の形態３はユーザによりシリーズ番組の予約を解除させる実施形態である。以下本発明の実施の形態３をその実施の形態を示す図面に基づいて詳述する。以下、特に説明する構成、作用以外の構成及び作用は実施の形態１と同等であり、簡潔のため記載を省略する。情報処理システムの具体的な作用及び動作は以下の通りである。ＣＰＵ１１はシリーズ番組の選択を受け付ける。ユーザが送信機３によりシリーズ番組２１Ａを選択する。ＣＰＵ１１はシリーズ番組２１Ａの予約の解除を受け付ける。ユーザは送信機３によりシリーズ番組２１Ａの予約の解除を選択する。ＣＰＵ１１は受け付けたシリーズ番組２１Ａの予約を解除する。
【００６４】
図１５は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組の予約の解除を受け付けたか否かを判定する（ステップＳ４１）。ＣＰＵ１１はシリーズ番組の予約の解除を受け付けなかったと判定した場合（ステップＳ４１：ＮＯ）、処理をステップＳ１４に移す。ＣＰＵ１１はシリーズ番組の予約の解除を受け付けたと判定した場合（ステップＳ４１：ＹＥＳ）、受け付けたシリーズ番組の予約を解除し（ステップＳ４２）、処理をステップＳ１４に移す。
【００６５】
一態様によれば、ユーザによりシリーズ番組の予約を解除させることができるため、ユーザビリティが向上する。
【００６６】
実施の形態４
実施の形態４はユーザが再生しないシリーズ番組の予約を解除させる実施形態である。以下本発明の実施の形態４をその実施の形態を示す図面に基づいて詳述する。以下、特に説明する構成、作用以外の構成及び作用は実施の形態１と同等であり、簡潔のため記載を省略する。図１６は番組情報ＤＢ１２３に格納されているデータの一例を示す図である。番組情報ＤＢ１２３はさらに再生列を備える。再生列には番組を再生したか否かを示す再生情報が記憶される。再生列には例えば、「有り」又は「無し」が記憶される。「有り」とは番組を再生したことを示す。「無し」とは番組を再生しなかったことを示す。ＣＰＵ１１は番組を録画した場合、再生列に「無し」を記憶する。
【００６７】
情報処理システムの具体的な作用及び動作は以下の通りである。ＣＰＵ１１はシリーズ番組「タイトルＡ」の番組の内、最初の番組を録画してから所定の時間が経過したか否かを判定する。所定の時間とは例えば１０００時間である。ＣＰＵ１１はシリーズ番組「タイトルＡ」の番組１Ａを録画してから所定の時間が経過したと判定する。ＣＰＵ１１は、シリーズ番組情報ＤＢ１２１を参照し、シリーズ番組「タイトルＡ」のいずれか１つの番組を再生したか否かを判定する。ＣＰＵ１１はシリーズ番組「タイトルＡ」の全ての番組の再生列が「無し」であるため、シリーズ番組「タイトルＡ」を再生しなかったと判定する。ＣＰＵ１１はシリーズ番組「タイトルＡ」の予約を解除する。ＣＰＵ１１はシリーズ番組「タイトルＡ」の番組列の番組１Ａから１Ｈを消去する。
【００６８】
図１７は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組内のいずれか１つの番組を録画してから所定の時間が経過したか否かを判定する（ステップＳ５１）。具体的にはＣＰＵ１１はシリーズ番組内の最初の番組を録画してから所定の時間が経過したか否かを判定する。所定の時間とは例えば１０００時間である。ＣＰＵ１１はシリーズ番組内のいずれか１つの番組を録画してから所定の時間が経過しなかったと判定した場合（ステップＳ５１：ＮＯ）、処理をステップＳ１４に移す。ＣＰＵ１１はシリーズ番組内のいずれか１つの番組を録画してから所定の時間が経過したと判定した場合（ステップＳ５１：ＹＥＳ）、シリーズ番組情報ＤＢ１２１を参照し、シリーズ番組内のいずれか１つの番組を再生したか否かを判定する（ステップＳ５２）。
【００６９】
ＣＰＵ１１はシリーズ番組内のいずれか１つの番組を再生したと判定した場合（ステップＳ５２：ＹＥＳ）、処理をステップＳ１４に移す。ＣＰＵ１１はシリーズ番組内のいずれか１つの番組を再生しなかったと判定した場合（ステップＳ５２：ＮＯ）、いずれか１つの番組を再生しなかったシリーズ番組の予約を解除する（ステップＳ５３）。ＣＰＵ１１はいずれか１つの番組を再生しなかったシリーズ番組の内、録画した番組を消去し（ステップＳ５４）、処理をステップＳ１４に移す。
【００７０】
ＣＰＵ１１はステップＳ１８の処理を終了した後、番組情報ＤＢ１２３の再生情報を「有り」に更新し（ステップＳ５５）、処理をステップＳ１１に移す。
【００７１】
一態様によれば、ユーザが再生しないシリーズ番組の予約を解除し、シリーズ番組の内、録画した番組を消去することで、録画した番組が記憶部１２に記憶する容量を超えることを防止できる。
【００７２】
実施の形態５
実施の形態５はシリーズ番組を一括で消去する実施形態である。以下本発明の実施の形態５をその実施の形態を示す図面に基づいて詳述する。以下、特に説明する構成、作用以外の構成及び作用は実施の形態１と同等であり、簡潔のため記載を省略する。図１８はシリーズ番組を一括で消去するための一括消去欄２１７を表示した選択画面２１の一例を示す図である。選択画面２１はさらに一括消去欄２１７を備える。一括消去欄２１７は左部に設けられた許可欄２１８及び右部に設けられた不許可欄２１９を備える。許可欄２１８はシリーズ番組を一括で消去することを許可するための欄である。不許可欄２１９はシリーズ番組を一括で消去することを許可しないための欄である。
【００７３】
選択画面２１の作用及び動作は以下の通りである。ユーザが送信機３によりシリーズ番組欄２１Ａを選択し、一括消去欄２１７を表示させる。ユーザが送信機３により不許可欄２１９を選択する。ＣＰＵ１１は一括消去欄２１７の表示を消去する。ユーザが送信機３により許可欄２１８を選択する。ＣＰＵ１１はシリーズ番組「タイトルＡ」の予約を解除する。ＣＰＵ１１は番組情報ＤＢ１２３からシリーズ番組「タイトルＡ」の内、録画した番組１Ａから１Ｈを消去する。
【００７４】
図１９は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１３の処理を終了した後、シリーズ番組の予約の解除を受け付けたか否かを判定する（ステップＳ６１）。ＣＰＵ１１はシリーズ番組の予約の解除を受け付けなかったと判定した場合（ステップＳ６１：ＮＯ）、処理をステップＳ１４に移す。ＣＰＵ１１はシリーズ番組の予約の解除を受け付けたと判定した場合（ステップＳ６１：ＹＥＳ）、受け付けたシリーズ番組の予約を解除する（ステップＳ６２）。ＣＰＵ１１は受け付けたシリーズ番組の内、録画した番組を消去し（ステップＳ６３）、処理をステップＳ１４に移す。
【００７５】
一態様によれば、シリーズ番組を一括で消去できるため、ユーザビリティが向上する。
【００７６】
実施の形態６
実施の形態６はシリーズ番組を一括で複製する実施形態である。以下本発明の実施の形態６をその実施の形態を示す図面に基づいて詳述する。以下、特に説明する構成、作用以外の構成及び作用は実施の形態１と同等であり、簡潔のため記載を省略する。図２０はシリーズ番組内の全ての番組を複製するための一括複製欄６１２を表示した選択画面２１の一例を示す図である。一括複製欄６１２は一括複製欄６１２の左部に設けられた光ディスクボタン６１４と、一括複製欄６１２の右部に設けられた記憶部ボタン６１５とを備える。一括複製欄６１２は複製先を選択するための欄である。光ディスクボタン６１４はシリーズ番組内の全ての番組の複製先を光ディスクにするための欄である。記憶部ボタン６１５はシリーズ番組内の全ての番組の複製先をＨＤＤ１８１にするための欄である。
【００７７】
番組選択画面４１の作用及び動作は以下の通りである。表示装置２がシリーズ番組「タイトルＡ」の番組選択画面４１を表示した場合、一括複製欄６１２の表示を受け付ける。ユーザが送信機３により一括複製欄６１２を表示装置２に表示させる。ユーザが送信機３により光ディスクボタン６１４を選択する。ＣＰＵ１１はシリーズ番組「タイトルＡ」内の番組１Ａから１Ｈを光ディスクに複製する。ユーザが送信機３により記憶部ボタン６１５を選択する。ＣＰＵ１１はシリーズ番組「タイトルＡ」内の番組１Ａから１ＨをＨＤＤ１８１に複製する。また各タイトルにチェックボックスを設けて個別に複製対象にするかどうかを選択できるようにしてもよい。
【００７８】
図２１は本実施形態における情報処理システムの処理手順を示したフローチャートである。ステップＳ１１〜Ｓ３１の処理は上述の実施の形態１に係る情報処理システムと同様であるので、簡潔のため説明を省略する。ＣＰＵ１１はステップＳ１６の処理を終了した後、一括複製欄６１２の表示を受け付けたか否かを判定する（ステップＳ７１）。ＣＰＵ１１は一括複製欄６１２の表示を受け付けなかったと判定した場合（ステップＳ７１：ＮＯ）、処理をステップＳ１７に移す。ＣＰＵ１１は一括複製欄６１２の表示を受け付けたと判定した場合（ステップＳ７１：ＹＥＳ）、一括複製欄６１２を表示装置２に表示させる（ステップＳ７２）。
【００７９】
ＣＰＵ１１は送信機３から光ディスクへの複製の選択を受け付けたか否かを判定する（ステップＳ７３）。ＣＰＵ１１は送信機３から光ディスクへの複製の選択を受け付けたと判定した場合（ステップＳ７３：ＹＥＳ）、シリーズ番組内の全ての番組を光ディスクに複製し（ステップＳ７４）、処理をステップＳ１７に移す。ＣＰＵ１１は送信機３から光ディスクへの複製の選択を受け付けなかったと判定した場合（ステップＳ７３：ＮＯ）、ＨＤＤ１８１への複製の選択を受け付けたか否かを判定する（ステップＳ７５）。ＣＰＵ１１はＨＤＤ１８１への複製の選択を受け付けなかったと判定した場合（ステップＳ７５：ＮＯ）、処理をステップＳ７３に移す。ＣＰＵ１１はＨＤＤ１８１への複製の選択を受け付けたと判定した場合（ステップＳ７５：ＹＥＳ）、シリーズ番組内の全ての番組を記憶部１２に複製し（ステップＳ７６）、処理をステップＳ１７に移す。
【００８０】
一態様によれば、シリーズ番組を一括で複製できるため、ユーザビリティが向上する。
【００８１】
実施の形態７
実施の形態７はシリーズ番組の録画の予約より優先的に録画を行う通常予約（優先予約）に関する実施形態である。なお、本実施形態におけるシリーズ番組の予約により録画された番組は記憶部１２に記憶可能な容量に応じて自動で消去される。以下本発明の実施の形態７をその実施の形態を示す図面に基づいて詳述する。図２２は録画装置１のハードウェア群を示すブロック図である。以下、特に説明する構成、作用以外の構成及び作用は実施の形態４と同等であり、簡潔のため記載を省略する。録画装置１の記憶部１２はさらに予約情報ＤＢ１２４を備える。
【００８２】
図２３は予約情報ＤＢ１２４に格納されているデータの一例を示す図である。予約情報ＤＢ１２４は番組の録画の予約に関する予約情報を記憶するデータベースである。予約情報ＤＢ１２４はＩＤ列、繰り返し列、自動列、繰り返し種別列、日時列、放送局列、シリーズ番組列及び録画設定列を備える。ＩＤ列には予約情報を識別するためのＩＤが記憶される。繰り返し列には録画を所定の周期で繰り返すか否かを示す繰り返し情報が記憶される。繰り返し列には例えば有り又は無しが記憶される。有りとは録画を所定の繰り返し周期で繰り返すことを示す。無しとは録画を所定の繰り返し周期で繰り返さないことを示す。自動列には条件に合致する番組を自動で録画するか否かを示す自動録画情報が記憶される。自動列には例えば有り又は無しが記憶される。有りとは条件に合致する番組を自動で録画することを示す。無しとは条件に合致する番組を自動で録画しないことを示す。
【００８３】
繰り返し種別列は繰り返しを行う繰り返し周期が記憶される。繰り返し種別列には例えば、月〜木、月〜金、毎日又は毎週等が記憶される。月〜木とは月曜日から木曜日まで録画を繰り返し予約することを示す。毎日とは毎日録画を繰り返し予約することを示す。毎週とは毎週録画を繰り返し予約することを示す。日時列には録画を開始する番組の日時が記憶される。放送局列には録画を行う放送局が記憶される。シリーズ番組列には番組の名称が記憶される。録画設定列は所定の繰り返し周期で通常予約が行われた番組の録画設定が記憶される。録画設定列には例えば通常録画、録画保護又は重ね録り等が記憶される。通常録画とは録画した番組を消去可能にする設定である。録画保護とは録画した番組を消去不可にする設定である。重ね録りとは前回録画した番組を消去した後で番組を録画する設定である。ＣＰＵ１１は後述する録画設定画面４０１、予約画面７１及び詳細設定画面８１で選択を受け付けた予約情報を予約情報ＤＢ１２４に記憶する。
【００８４】
図２４は録画設定の選択を受け付けるための録画設定画面４０１の一例を示す図である。録画設定画面４０１は左下部に設けられた完了ボタン４０６と、完了ボタン４０６の上部に設けられた設定ボタン４０２と、右部の上下方向に対して中央に設けられた通常録画ボタン４０３と、通常録画ボタン４０３の下部に設けられた録画保護ボタン４０４と、録画保護ボタン４０４の下部に設けられた重ね録りボタン４０５とを備える。設定ボタン４０２は通常予約の設定を行うためのボタンである。通常録画ボタン４０３は通常録画を設定するためのボタンである。録画保護ボタン４０４は録画保護を設定するためのボタンである。重ね録りボタン４０５は重ね録りを設定するためのボタンである。完了ボタン４０６は録画設定画面４０１を終了するためのボタンである。
【００８５】
具体的な録画設定画面４０１の作用及び動作は以下の通りである。選択画面２１又は後述する予約結果画面２０１を表示した後、録画設定画面４０１の表示を受け付ける。ユーザが送信機３により録画設定画面４０１の表示を選択する。ＣＰＵ１１は予約情報ＤＢ１２４を参照し、録画設定画面４０１を表示させる。ユーザは送信機３により通常録画ボタン４０３を選択する。ＣＰＵ１１は予約情報ＤＢ１２４に通常録画を記憶する。ユーザは送信機３により完了ボタン４０６を選択する。ＣＰＵ１１は録画設定画面４０１を終了し、選択画面２１を表示させる。ユーザが送信機３により録画保護ボタン４０４を選択する。ＣＰＵ１１は予約情報ＤＢ１２４に録画保護を記憶する。ユーザが送信機３により重ね録りボタン４０５を選択する。ＣＰＵ１１は予約情報ＤＢ１２４に重ね録りを記憶する。
【００８６】
図２５は選択画面２１の一例を示す図である。選択画面２１はさらに右上部に設けられたチェックボックス２２０を備える。チェックボックス２２０は通常予約をしたか否かを示すチェックボックスである。選択画面２１の作用及び動作は以下の通りである。ＣＰＵ１１は通常予約に変更する番組の選択を受け付ける。すなわちＣＰＵ１１は複数のシリーズ番組の夫々における名称の選択を受け付けることで前記複数の一連の番組のいずれかの選択を受け付ける。ＣＰＵ１１は表示装置２に後述する予約画面７１の表示の選択を受け付ける。ユーザが送信機３によりシリーズ番組欄２１Ａを選択し、予約画面７１の表示を選択する。ＣＰＵ１１は表示装置２に後述する予約画面７１を表示させる。ＣＰＵ１１はユーザの操作に従うことで通常予約を行った後、チェックボックス２２０にチェックを表示させる。
【００８７】
図２６はシリーズ番組の録画の予約を行うための予約画面７１の一例を示す図である。予約画面７１は中央部に設けられた予約設定画面７１０を備える。予約設定画面７１０は予約設定画面７１０の左下部に設けられた通常予約ボタン７１１と、通常予約ボタン７１１の右部に設けられた繰り返し予約ボタン７１２と、繰り返し予約ボタン７１２の右部に設けられた設定変更ボタン７１３とを備える。予約設定画面７１０は通常予約をするための画面である。通常予約ボタン７１１はシリーズ番組の録画の通常予約を選択するボタンである。繰り返し予約ボタン７１２はシリーズ番組の録画の繰り返し予約を選択するボタンである。繰り返し予約とは所定の周期で通常予約を行う予約である。設定変更ボタン７１３は通常予約の詳細設定を行うためのボタンである。
【００８８】
予約画面７１の具体的な作用及び動作は以下の通りである。ユーザは送信機３により通常予約ボタン７１１を選択する。ＣＰＵ１１はシリーズ番組「タイトルＡ」の内、現在の日時「午後１：００」から一番近い「１２月１０日  午後２：００〜２：５８」の放送の予約を通常予約に変更する。具体的にはＣＰＵ１１は予約情報ＤＢ１２４の繰り返し列の１行目に「無し」を記憶する。ＣＰＵ１１は予約情報ＤＢ１２４の自動列の１行目に「無し」を記憶する。ＣＰＵ１１は予約情報ＤＢ１２４の日時列の１行目に「１２月１０日  午後１：００〜１：５８」を記憶する。ＣＰＵ１１は予約情報ＤＢ１２４の放送局列の１行目に「Ａ」を記憶する。ＣＰＵ１１は予約情報ＤＢ１２４の番組名列の１行目に「タイトルＡ」を記憶する。ＣＰＵ１１は選択画面２１を表示させ、シリーズ番組欄２１Ａのチェックボックス２２０にチェックを表示させる。
【００８９】
ＣＰＵ１１は予約画面７１の表示の選択を受け付ける。ユーザは送信機３により選択画面２１のシリーズ番組欄２１Ｂのシリーズ番組「タイトルＢ」を選択し、予約画面７１の表示を選択する。ＣＰＵ１１は表示装置２に予約画面７１を表示させる。
【００９０】
ユーザは送信機３により設定変更ボタン７１３を選択する。送信機３は設定変更ボタン７１３を選択する。ＣＰＵ１１は後述する詳細設定画面８１を表示させる。なお、本実施形態のＣＰＵ１１は選択画面２１で通常予約に変更する番組の選択を受け付けたが、これに限られるものではない。たとえばＣＰＵ１１は番組選択画面４１で通常予約に変更する番組の選択を受け付けてもよい。
【００９１】
図２７は通常予約の詳細な設定を行うための詳細設定画面８１の一例を示す図である。詳細設定画面８１は左部に設けられた繰り返し周期欄８１１と、繰り返し周期欄８１１の右部に設けられた日時欄８１２と、左下部に設けられた完了ボタン８１３とを備える。繰り返し周期欄８１１は繰り返し周期を選択するための欄である。日時欄８１２は放送される番組の日時が記憶される。完了ボタン８１３は通常予約を行うためのボタンである。
【００９２】
詳細設定画面８１の具体的な作用及び動作は以下の通りである。ＣＰＵ１１は選択されたシリーズ番組欄２１Ｂに基づいて、日時欄８１２に「[月]  午後２：００〜２：５８」を表示させる。ＣＰＵ１１は繰り返し周期欄８１１で「１２月１０日」、「月〜木」、「月〜金」、「毎日」及び「毎週」等から繰り返し周期の選択を受け付ける。ユーザは送信機３により繰り返し周期欄８１１で「月〜木」を選択する。送信機３は繰り返し周期欄８１１で「月〜木」を選択する操作信号を録画装置１へ送信する。ＣＰＵ１１は送信機３から操作信号を受信する。ＣＰＵ１１は「月〜木」を選択し、繰り返し周期欄８１１に「月〜木」を表示させる。ユーザは送信機３により完了ボタン８１３を選択する。送信機３は完了ボタン８１３を選択する操作信号を録画装置１へ送信する。ＣＰＵ１１は送信機３から操作信号を受信する。ＣＰＵ１１は表示装置２に予約画面７１を表示させる。
【００９３】
ユーザは送信機３により繰り返し予約ボタン７１２を選択する。ＣＰＵ１１はシリーズ番組「タイトルＢ」の月曜日から木曜日の放送の予約を通常予約に変更する。具体的にはＣＰＵ１１は予約情報ＤＢ１２４の繰り返し列の２行目に「有り」を記憶する。ＣＰＵ１１は予約情報ＤＢ１２４の自動列の２行目に「無し」を記憶する。ＣＰＵ１１は予約情報ＤＢ１２４の繰り返し種別列の２行目に「月〜木」を記憶する。ＣＰＵ１１は予約情報ＤＢ１２４の日時列の２行目に「１２月１０日  午後２：００〜２：５８」を記憶する。ＣＰＵ１１は予約情報ＤＢ１２４の放送局列の２行目に「Ｂ」を記憶する。ＣＰＵ１１は予約情報ＤＢ１２４の番組名列の２行目に「タイトルＢ」を記憶する。ＣＰＵ１１は予約情報ＤＢ１２４の録画設定列の２行目に「重ね録り」を記憶する。ＣＰＵ１１は選択画面２１を表示させ、シリーズ番組欄２１Ｂのチェックボックス２２０にチェックを表示させる。ユーザは上記操作によりシリーズ番組を一括で通常予約に変更することができる。また、ユーザは上記操作によりシリーズ番組の一部の番組を通常予約に変更することもできる。なお、本実施形態ではＣＰＵ１１は繰り返し周期の選択を受け付けたが、これに限られない。例えば、ＣＰＵ１１はシリーズ番組内の全ての番組の選択を受け付けるようにしてもよい。
【００９４】
図２８は録画を予約した結果を示す予約結果画面２０１の一例を示す図である。予約結果画面２０１は上から順に予約結果欄２２Ａ及び２２Ｂ等により構成される予約結果欄２０２と、予約結果欄２０２の左部に設けられた日時欄２０３と、日時欄２０３の右部に設けられた放送局欄２０４と、放送局欄２０４の右部に設けられた番組名欄２０５と、右部に設けられた繰り返し欄２０６とを備える。予約結果欄２０２は録画を予約した結果を表示するための欄である。日時欄２０３は録画を予約した日時を表示するための欄である。放送局欄２０４は録画を予約した放送局を表示するための欄である。番組名欄２０５は番組の名称を表示するための欄である。繰り返し欄２０６は繰り返しの種別を表示するための欄である。
【００９５】
予約結果画面２０１の具体的な作用及び動作は以下の通りである。ＣＰＵ１１は予約結果画面２０１の表示の選択を受け付ける。ユーザは選択画面２１で送信機３により予約結果画面２０１の表示を選択する。ＣＰＵ１１は予約情報ＤＢ１２４を参照し、予約情報から通常予約を抽出し、予約結果画面２０１に表示させる。すなわち、ＣＰＵ１１は予約情報ＤＢ１２４を参照し、予約結果欄２２Ａの日時欄２０３に「１２月１０日  午後１：００〜１：５８」を表示させ、予約結果欄２２Ａの放送局欄２０４に「放送局Ａ」を表示させ、番組名欄２０５に「タイトルＡ」を表示させる。ＣＰＵ１１は予約結果欄２２Ｂの日時欄２０３に「１２月１０日  午後２：００〜２：５８」を表示させ、放送局欄２０４に「放送局Ｂ」を表示させ、番組名欄２０５に「タイトルＢ」を表示させ、繰り返し欄２０６に「月〜木」を表示させる。
【００９６】
本実施形態において予約された番組を録画する録画処理の作用及び動作を説明する。ＣＰＵ１１は予約情報ＤＢ１２４を参照し、「１２月１０日  午後１：００〜１：５８」の時間帯に初回の放送を録画する「タイトルＡ」及び「タイトルＺ」の録画の予約があると判定する。ＣＰＵ１１は初回の放送を録画する「タイトルＡ」が通常予約であると判定する。ＣＰＵ１１は「タイトルＡ」を録画する。ＣＰＵ１１は「タイトルＢ」の繰り返し列が「無し」でかつ自動列が「無し」であると判定し、繰り返し予約でないと判断し、処理を次に移す。
【００９７】
ＣＰＵ１１は予約情報ＤＢ１２４を参照し、「１２月１０日  午後２：００〜２：５８」の時間帯に「タイトルＢ」及び「タイトルＺ」の録画の予約があると判定する。ＣＰＵ１１は「タイトルＢ」が通常予約であると判定する。ＣＰＵ１１は「タイトルＢ」を録画する。ＣＰＵ１１は「タイトルＢ」の繰り返し列が「有り」でかつ自動列が「無し」であると判定し、繰り返し予約であると判断する。ＣＰＵ１１は録画した番組の録画設定が重ね録りであると判定する。ＣＰＵ１１は前回の放送を録画した番組を消去する。ＣＰＵ１１は放送局Ｂにおいて「１２月１１日  午後２：００〜２：５８」に録画の予約を行い、以下、月曜日から木曜日まで同様の処理を繰り返す。
【００９８】
図２９〜３０は本実施形態における情報処理システムの処理手順を示したフローチャートである。ステップＳ１１〜Ｓ５５の処理は上述の実施の形態４に係る情報処理システムと同様であるので、簡潔のため説明を省略する。ＣＰＵ１１はステップＳ１３の処理を終了した後、録画設定画面４０１の表示を受け付けたか否かを判定する（ステップＳ８１）。ＣＰＵ１１は録画設定画面４０１の表示を受け付けなかったと判定した場合（ステップＳ８１：ＮＯ）、処理をステップＳ８５に移す。ＣＰＵ１１は録画設定画面４０１の表示を受け付けたと判定した場合（ステップＳ８１：ＹＥＳ）、表示装置２に録画設定画面４０１を表示させる（ステップＳ８２）。ＣＰＵ１１は録画設定の選択を受け付ける（ステップＳ８３）。ＣＰＵ１１は受け付けた録画設定を予約情報ＤＢ１２４に記憶する（ステップＳ８４）。
【００９９】
ＣＰＵ１１は予約画面７１の表示の選択を受け付けたか否かを判定する（ステップＳ８５）。ＣＰＵ１１は予約画面７１の表示の選択を受け付けなかったと判定した場合（ステップＳ８５：ＮＯ）、処理をステップＳ８９に移す。ＣＰＵ１１は予約画面７１の表示の選択を受け付けたと判定した場合（ステップＳ８５：ＹＥＳ）、予約情報ＤＢ１２４を参照し、予約画面７１を表示装置２に表示させる（ステップＳ８６）。ＣＰＵ１１は通常予約の設定の選択を受け付ける（ステップＳ８７）。ＣＰＵ１１は受け付けた選択に基づいて受け付けたシリーズ番組の予約を通常予約に変更する（ステップＳ８８）。
【０１００】
ＣＰＵ１１は予約結果画面２０１の表示の選択を受け付けたか否かを判定する（ステップＳ８９）。ＣＰＵ１１は予約結果画面２０１の表示の選択を受け付けなかったと判定した場合（ステップＳ８９：ＮＯ）、処理をステップＳ５１に移す。ＣＰＵ１１は予約結果画面２０１の表示の選択を受け付けたと判定した場合（ステップＳ８９：ＹＥＳ）、表示装置２に予約結果画面２０１を表示させ（ステップＳ９０）、処理をステップＳ５１に移す。
【０１０１】
ＣＰＵ１１はステップＳ３１がＹＥＳだった場合、予約情報ＤＢ１２４を参照し、同一時間帯に複数のシリーズ番組の録画の予約があるか否かを判定する（ステップＳ９１）。すなわちＣＰＵ１１はシリーズ番組内の番組を放送する放送時間帯が重なっているか否かを判定する。ＣＰＵ１１は同一時間帯に複数のシリーズ番組の録画の予約がないと判定した場合（ステップＳ９１：ＮＯ）、処理をステップＳ３２に移す。ＣＰＵ１１は同一時間帯に複数のシリーズ番組の録画の予約があると判定した場合（ステップＳ９１：ＹＥＳ）、同一時間帯に予約がある複数のシリーズ番組の録画の内、いずれか１つの番組の予約が通常予約であるか否かを判定する（ステップＳ９２）。ＣＰＵ１１は同一時間帯に予約がある複数のシリーズ番組の録画の内、いずれか１つの番組の予約が通常予約であると判定した場合（ステップＳ９２：ＹＥＳ）、通常予約された番組を録画する（ステップＳ９３）。すなわちＣＰＵ１１はシリーズ番組を他のシリーズ番組より優先して録画するよう指示する信号を出力する。ＣＰＵ１１は同一時間帯に予約がある複数の録画の内、いずれか１つの番組の予約が通常予約でないと判定した場合（ステップＳ９２：ＮＯ）、いずれか１つの番組を録画する（ステップＳ９４）。具体的にはＣＰＵ１１は番組を予約した時刻を記憶し、記憶された時刻が早い番組を録画する。
【０１０２】
ＣＰＵ１１は予約情報ＤＢ１２４の繰り返し列が「有り」でかつ自動列が「無し」であるか否かを判定する（ステップＳ９５）。すなわち、ＣＰＵ１１は録画した番組の予約が繰り返し予約であるか否かを判定する。ＣＰＵ１１は予約情報ＤＢ１２４の繰り返し列が「有り」でかつ自動列が「無し」でないと判定した場合（ステップＳ９５：ＮＯ）、処理をステップＳ３３に移す。ＣＰＵ１１は予約情報ＤＢ１２４の繰り返し列が「有り」でかつ自動列が「無し」であると判定した場合（ステップＳ９５：ＹＥＳ）、録画した番組の録画設定が重ね録りであるか否かを判定する（ステップＳ９６）。ＣＰＵ１１は録画した番組の録画設定が重ね録りであると判定した場合（ステップＳ９６：ＹＥＳ）、前回の放送を録画した番組を消去する（ステップＳ９７）。ＣＰＵ１１は録画した番組の録画設定が重ね録りでないと判定した場合（ステップＳ９６：ＮＯ）、録画設定が録画保護であるか否かを判定する（ステップＳ９８）。ＣＰＵ１１は前回録画した番組の録画設定が録画保護でないと判定した場合（ステップＳ９８：ＮＯ）、処理をステップＳ３３に移す。ＣＰＵ１１は前回録画した番組の録画設定が録画保護であると判定した場合（ステップＳ９８：ＹＥＳ）、録画した番組を保護し（ステップＳ９９）、処理をステップＳ３３に移す。
【０１０３】
一態様によれば、シリーズ番組の録画の予約を一括で通常予約に変更することができる。また、シリーズ番組内の一部の番組における録画の予約を通常予約に変更することができる。このことによりユーザビリティを向上することができる。
【０１０４】
一態様によれば、ＣＰＵ１１は選択画面２１で通常予約に変更するシリーズ番組の選択を受け付けることができるため、ユーザは容易にシリーズ番組を選択して通常予約に変更することができる。
【０１０５】
なお、本実施形態でシリーズ番組の録画の予約を一括で通常予約に変更した場合、予約確定に関する情報をメッセージ欄２１５に表示するようにしてもよい。
【０１０６】
実施の形態８
実施の形態８は同一時間帯に複数の録画の予約がある場合、番組の選択を受け付け、受け付けた番組を通常予約に変更する実施形態である。以下本発明の実施の形態８をその実施の形態を示す図面に基づいて詳述する。以下、特に説明する構成、作用以外の構成及び作用は実施の形態７と同等であり、簡潔のため記載を省略する。
【０１０７】
本実施形態における予約処理の作用及び動作を説明する。ＣＰＵ１１は予約情報ＤＢ１２４を参照し、「１２月１１日  １５：００〜１５：５８」の時間帯にシリーズ番組「タイトルＺ」及び「タイトルＡ」の録画の予約があると判定する。ＣＰＵ１１は録画の予約の選択を受け付ける。ユーザはシリーズ番組「タイトルＺ」の録画の予約を選択する。ＣＰＵ１１はシリーズ番組「タイトルＺ」の録画の予約を通常予約に変更する。
【０１０８】
図３１は本実施形態における情報処理システムの処理手順を示したフローチャートである。ステップＳ１１〜Ｓ９９の処理は上述の実施の形態７に係る情報処理システムと同様であるので、簡潔のため説明を省略する。ＣＰＵ１１はステップＳ３０の処理を終了した後、予約情報ＤＢ１２４を参照し、同一時間帯に複数のシリーズ番組の録画の予約があるか否かを判定する（ステップＳ１０１）。ＣＰＵ１１は同一時間帯に複数のシリーズ番組の録画の予約がないと判定した場合（ステップＳ１０１：ＮＯ）、処理をステップＳ３２に移す。ＣＰＵ１１は同一時間帯に複数のシリーズ番組の録画の予約があると判定した場合（ステップＳ１０１：ＹＥＳ）、同一時間帯に録画した複数のシリーズ番組における録画の予約のいずれかの選択を受け付ける（ステップＳ１０２）。ＣＰＵ１１は受け付けた録画の予約を通常予約に変更し（ステップＳ１０３）、処理をステップＳ３１に移す。
【０１０９】
一態様によれば、同一時間帯に複数の録画の予約がある場合、番組の選択を受け付け、受け付けた番組を通常予約に変更することができる。このことによりユーザが視聴したい番組を優先して録画することができる。
【０１１０】
実施の形態９
実施の形態９はシリーズ番組内の番組を所定の数再生した場合、シリーズ番組内の全ての番組を通常予約に変更する実施形態である。所定の数とは例えば３回である。以下本発明の実施の形態９をその実施の形態を示す図面に基づいて詳述する。以下、特に説明する構成、作用以外の構成及び作用は実施の形態７と同等であり、簡潔のため記載を省略する。
【０１１１】
情報処理システムの作用及び動作は以下の通りである。ユーザが送信機３を操作することによりＣＰＵ１１がシリーズ番組「タイトルＡ」の初回、２回目及び３回目の番組を再生する。ＣＰＵ１１は番組情報ＤＢ１２３を参照し、シリーズ番組「タイトルＡ」内の番組を所定の数再生したと判定する。ＣＰＵ１１はシリーズ番組「タイトルＡ」の全ての番組１Ａ〜１Ｈを通常予約に変更する。すなわち、ＣＰＵ１１は予約情報ＤＢ１２４の自動列の５行目を「無し」に変更する。
【０１１２】
図３２は本実施形態における情報処理システムの処理手順を示したフローチャートである。ステップＳ１１〜Ｓ９９の処理は上述の実施の形態７に係る情報処理システムと同様であるので、簡潔のため説明を省略する。ＣＰＵ１１はステップＳ８８の処理を終了した後、予約情報ＤＢ１２４を参照し、シリーズ番組内の番組を所定の数再生したか否かを判定する。（ステップＳ１１１）。ＣＰＵ１１はシリーズ番組内の番組を所定の数再生しなかったと判定した場合（ステップＳ１１１：ＮＯ）、処理をステップＳ８９に移す。ＣＰＵ１１はシリーズ番組内の番組を所定の数再生したと判定した場合（ステップＳ１１１：ＹＥＳ）、未だ録画されていないシリーズ番組内の録画の予約を通常予約に変更する（ステップＳ１２）。ＣＰＵ１１は録画済みの番組を自動消去の対象から外し（ステップＳ１１３）、処理をステップＳ８９に移す。
【０１１３】
一態様によれば、シリーズ番組内の番組を所定の数再生した場合、シリーズ番組内の全ての番組を通常予約に変更することができる。このことによりユーザが興味がある番組の録画の予約を優先して行うことができることで、ユーザに優先度の設定をさせるストレスを低減させることができる。
【０１１４】
実施の形態１０
実施の形態１０はシリーズ番組の予約より優先し、通常予約より優先されない自動予約を行う実施の形態である。自動予約とは設定条件に基づいて録画を抽出し、抽出した録画を自動で予約する処理である。以下本発明の実施の形態１０をその実施の形態を示す図面に基づいて詳述する。以下、特に説明する構成、作用以外の構成及び作用は実施の形態７と同等であり、簡潔のため記載を省略する。
【０１１５】
図３３は自動予約を行うための自動予約画面９１の一例を示す図である。自動予約画面９１は左部に上から順に設けられた設定ボタン９２Ａ、９２Ｂ又は９２Ｃ等で構成される設定ボタン９２０を備える。設定ボタン９２０は自動予約を設定するためのボタンである。
【０１１６】
自動予約画面９１の具体的な作用及び動作は以下の通りである。ＣＰＵ１１は自動予約画面９１の表示の選択を受け付ける。ユーザは選択画面２１で送信機３により自動予約画面９１の表示の選択を受け付ける。ＣＰＵ１１は表示装置２に自動予約画面９１を表示させる。ユーザは送信機３により設定ボタン９２Ａを選択する。送信機３は設定ボタン９２Ａを選択する操作信号を録画装置１へ送信する。ＣＰＵ１１は送信機３から操作信号を受信する。ＣＰＵ１１は後述する設定画面１０１を表示装置２に表示させる。
【０１１７】
図３４は設定条件を設定するための設定画面１０１の一例を示す図である。設定画面１０１は上部に設けられた設定ボタン１０２と、中央部の左右夫々に設けられた有料番組選択ボタン１０Ａ及び１０Ｂで構成された有料番組選択ボタン１０３と、有料番組選択ボタン１０３の下部に設けられた再録画選択ボタン１４Ａ及び１４Ｂで構成された再録画選択ボタン１０４と、下部に設けられた完了ボタン１０５とを備える。設定ボタン１０２は設定条件を設定するためのボタンである。有料番組選択ボタン１０３は有料番組を抽出するか否かを設定条件に追加するためのボタンである。有料番組選択ボタン１０Ａは有料番組を抽出することを設定条件に追加するためのボタンである。有料番組選択ボタン１０Ｂは有料番組を抽出しないことを設定条件に追加するためのボタンである。再録画選択ボタン１０４は同一の名称を有する番組を抽出するか否かを設定条件に追加するためのボタンである。再録画選択ボタン１４Ａは同一の名称を有する番組を抽出することを設定条件に追加するためのボタンである。再録画選択ボタン１４Ｂは同一の名称を有する番組を抽出しないことを設定条件に追加するためのボタンである。完了ボタン１０５は設定条件を完了するためのボタンである。
【０１１８】
設定画面１０１の作用及び動作は以下の通りである。ユーザは送信機３により設定ボタン１０２を選択し、設定条件を以下の通りに設定する。ユーザは送信機３によりキーワードを「タイトルＣ」に設定し、除外キーワードを「未設定」に設定し、番組カテゴリを「ドラマ」に設定し、対象放送を「地上Ｄ／ＢＳ／ＣＳ」に設定し、対象チャンネルを全てのチャンネルに設定する。キーワードとは抽出するキーワードを示す。除外キーワードとは除外するキーワードを示す。番組カテゴリとは番組の種類である。対象放送とは放送の送信方法の種類である。地上Ｄとは地上波デジタル放送である。ＢＳ(Broadcasting Satellite)とは放送衛星による放送の送信方法である。ＣＳ(Communications Satellite)とは通信衛星による放送の送信方法である。対象チャンネルとは抽出する放送局の種類である。なお、設定条件は番組の出演者、番組の特徴又は番組のジャンル等でもよい。
【０１１９】
ユーザは送信機３により有料番組選択ボタン１０Ｂを選択し、ＣＰＵ１１は有料番組を抽出することを設定条件に追加する。ユーザは送信機３により同一番組選択ボタン１４Ｂを選択し、ＣＰＵ１１は同一の名称を有する番組を抽出しないことを設定条件に追加する。
【０１２０】
ＣＰＵ１１は上記設定条件により、番組「タイトルＣ」を抽出し、番組「タイトルＣ」の自動予約を行う。具体的にはＣＰＵ１１は予約情報ＤＢ１２４の繰り返し列の１行目に「無し」を記憶する。ＣＰＵ１１は予約情報ＤＢ１２４の自動列の５行目に「有り」を記憶する。ＣＰＵ１１は予約情報ＤＢ１２４の日時列の５行目に「１２月１０日  午後３：００〜３：５８」を記憶する。ＣＰＵ１１は予約情報ＤＢ１２４の放送局列の５行目に「Ｃ」を記憶する。ＣＰＵ１１は予約情報ＤＢ１２４の番組名列の５行目に「タイトルＣ」を記憶する。
【０１２１】
本実施形態において予約された番組を録画する録画処理の作用及び動作を説明する。ＣＰＵ１１は予約情報ＤＢ１２４を参照し、「１２月１０日  午後３：００〜３：５８」の時間帯に「タイトルＺ」及び「タイトルＣ」の録画の予約があると判定する。ＣＰＵ１１は「タイトルＺ」及び「タイトルＣ」が通常予約でないと判定する。ＣＰＵ１１は「タイトルＣ」が自動予約であると判定する。ＣＰＵ１１は録画した番組の録画設定が通常録画であると判定する。ＣＰＵ１１は「タイトルＣ」を録画する。
【０１２２】
図３５〜３６は本実施形態における情報処理システムの処理手順を示したフローチャートである。ステップＳ１１〜Ｓ９９の処理は上述の実施の形態７に係る情報処理システムと同様であるので、簡潔のため説明を省略する。ＣＰＵ１１はステップＳ８８の処理を終了した後、自動予約画面９１の表示の選択を受け付けたか否かを判定する（ステップＳ１２１）。ＣＰＵ１１は自動予約画面９１の表示の選択を受け付けなかったと判定した場合（ステップＳ１２１：ＮＯ）、処理をステップＳ８９に移す。ＣＰＵ１１は自動予約画面９１の表示の選択を受け付けたと判定した場合（ステップＳ１２１：ＹＥＳ）、表示装置２に自動予約画面９１を表示させる（ステップＳ１２２）。ＣＰＵ１１は設定画面１０１で設定条件の選択を受け付ける（ステップＳ１２３）。ＣＰＵ１１は設定条件に基づいて自動予約を行う（ステップＳ１２４）。
【０１２３】
なお、ステップＳ１２４の処理は、番組を再生させた場合、所定の時間を経過した場合又は録画装置１の電源（図示せず）がＯＦＦにされた場合にも実行される。所定の時間とは例えば１９２時間である。
【０１２４】
ＣＰＵ１１はステップＳ９２がＮＯであった場合、同一時間帯に予約がある複数の録画の内、いずれか１つの番組の予約が自動予約であるか否かを判定する（ステップＳ１３１）。ＣＰＵ１１は同一時間帯に予約がある複数の録画の内、いずれか１つの番組の予約が自動予約であると判定した場合（ステップＳ１３１：ＹＥＳ）、自動予約の番組を録画し（ステップＳ１３２）、処理をステップＳ９５に移す。すなわちＣＰＵ１１は自動予約をした番組を他のシリーズ番組より優先し、かつ通常予約より優先しないで録画するよう指示する信号を出力する。ＣＰＵ１１は同一時間帯に予約がある複数の録画の内、いずれか１つの番組の予約が自動予約でないと判定した場合（ステップＳ１３１：ＮＯ）、いずれか１つの番組を録画し（ステップＳ１３３）、処理をステップＳ９５に移す。
【０１２５】
一態様によれば、自動予約をシリーズ番組の録画の予約より優先して録画する。自動予約はユーザによる詳細な条件設定を行っているので、ユーザがより関心のある番組の録画を優先して行うことができる。
【０１２６】
一態様の予約装置１０は、夫々が所定の周期で放送される複数の一連の番組夫々における録画を予約する予約装置１０において、前記複数の一連の番組を特定するための番組表５１を取得する取得部と、該取得部で取得した番組表５１に基づいて前記複数の一連の番組における録画を予約する録画予約部と、前記録画予約部で予約した複数の一連の番組のいずれかの選択を受け付ける受付部と、該受付部で受け付けた一連の番組を他の一連の番組より優先して録画するよう指示する信号を出力する出力部とを備える。
【０１２７】
一態様によれば、シリーズ番組の録画の予約を一括で通常予約に変更することができる。また、シリーズ番組内の一部の番組における録画の予約を通常予約に変更することができる。このことによりユーザビリティを向上することができる。
【０１２８】
一態様の予約装置１０は、前記複数の一連の番組の名称を表示させる番組表示部を備え、前記受付部は、該番組表示部で表示させた複数の一連の番組夫々における名称の選択を受け付けることで前記複数の一連の番組のいずれかの選択を受け付けるようにしてあることを特徴とする。
【０１２９】
一態様によれば、ＣＰＵ１１は選択画面２１で通常予約に変更するシリーズ番組の選択を受け付けることができるため、ユーザは容易にシリーズ番組を選択して通常予約に変更することができる。
【０１３０】
一態様の予約装置１０は、複数の一連の番組内の番組を放送する放送時間帯が重なっているか否かを判定する判定部と、該判定部で前記複数の一連の番組内の番組を放送する放送時間帯が重なっていると判定した場合、前記複数の一連の番組のいずれかの選択を受け付ける選択受付部とを備え、前記出力部は、該選択受付部で受け付けた一連の番組を他の一連の番組より優先して録画するよう指示する信号を出力するようにしてあることを特徴とする。
【０１３１】
一態様によれば、同一時間帯に複数の録画の予約がある場合、番組の選択を受け付け、受け付けた番組を通常予約に変更することができる。このことによりユーザが視聴したい番組を優先して録画することができる。
【０１３２】
一態様の録画装置１は、予約装置１０と、前記複数の一連の番組夫々を録画する録画部と、該録画部で録画された一連の番組の内、いずれかの番組を再生させる再生部とを備え、前記録画部は、前記一連の番組の内、該再生部で再生させた番組が所定の数以上であった場合、前記一連の番組を他の一連の番組より優先して録画するようにしてあることを特徴とする。
【０１３３】
一態様によれば、シリーズ番組内の番組を所定の数再生した場合、シリーズ番組内の全ての番組を通常予約に変更することができる。このことによりユーザが興味がある番組の録画の予約を優先して行うことができることで、ユーザに優先度の設定をさせるストレスを低減させることができる。
【０１３４】
一態様のプログラム１２Ｐは、夫々が所定の周期で放送される複数の一連の番組夫々における録画を予約する予約装置１０に用いられるプログラム１２Ｐにおいて、該予約装置１０に、番組表５１に基づいて前記複数の一連の番組における録画を予約し、受け付けた一連の番組を他の一連の番組より優先して録画するよう指示する録画信号を出力する処理を実行させる。
【０１３５】
一態様の予約方法は、夫々が所定の周期で放送される複数の一連の番組夫々における録画を予約する予約装置１０における予約方法において、前記複数の一連の番組を特定するための番組表５１を取得し、取得した番組表５１に基づいて前記複数の一連の番組における録画を予約し、前記録画予約部で予約した複数の一連の番組のいずれかの選択を受け付け、受け付けた一連の番組を他の一連の番組より優先して録画するよう指示する録画信号を出力する処理を実行させる。
【０１３６】
以上の実施の形態で示された発明情報もしくは発明関連情報へのアクセスの許可又は禁止は例示であって、制限的なものではないと考えられるべきである。各判定処理後における発明情報もしくは発明関連情報の許可又は禁止は任意に入れ替えることができる。
【０１３７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【０１３８】
１  録画装置
１０  予約装置
１２Ｐ  プログラム
【図１】
2016131337.tif 000003
【図２】
2016131337.tif 000004
【図３】
2016131337.tif 000005
【図４】
2016131337.tif 000006
【図５】
2016131337.tif 000007
【図６】
2016131337.tif 000008
【図７】
2016131337.tif 000009
【図８】
2016131337.tif 000010
【図９】
2016131337.tif 000011
【図１０】
2016131337.tif 000012
【図１１】
2016131337.tif 000013
【図１２】
2016131337.tif 000014
【図１３】
2016131337.tif 000015
【図１４】
2016131337.tif 000016
【図１５】
2016131337.tif 000017
【図１６】
2016131337.tif 000018
【図１７】
2016131337.tif 000019
【図１８】
2016131337.tif 000020
【図１９】
2016131337.tif 000021
【図２０】
2016131337.tif 000022
【図２１】
2016131337.tif 000023
【図２２】
2016131337.tif 000024
【図２３】
2016131337.tif 000025
【図２４】
2016131337.tif 000026
【図２５】
2016131337.tif 000027
【図２６】
2016131337.tif 000028
【図２７】
2016131337.tif 000029
【図２８】
2016131337.tif 000030
【図２９】
2016131337.tif 000031
【図３０】
2016131337.tif 000032
【図３１】
2016131337.tif 000033
【図３２】
2016131337.tif 000034
【図３３】
2016131337.tif 000035
【図３４】
2016131337.tif 000036
【図３５】
2016131337.tif 000037
【図３６】
2016131337.tif 000038